(57)【要約】【課題】居室の利用者の携帯電話を利用して利用者の居室内の在／不在に基づき居室の使用状態を正確に検出することで、不必要な設備動作を抑止するようにした携帯電話を利用した建物内設備制御システムを提供する。【解決手段】建物内の制御対象設備２，３が設置されている居室１００内の携帯電話８と通信を行う構内電話回線１０，９，６ｂと、上記制御対象設備のための予め設定された設備動作スケジュールに基づき設備のオン／オフの制御を行うと共に、上記構内電話回線を使用した居室内の携帯電話との通信結果に従った利用者７の居室内の在／不在に基づき、上記設備動作スケジュールにおいて設備オン期間であっても利用者不在時には設備をオフにする設備管理制御手段を含む設備管理制御装置１と、を備えた。【選択図】図１
2005354293.tif 000002
【特許請求の範囲】
【請求項１】
建物内の制御対象設備が設置されている居室内の携帯電話と通信を行う構内電話回線と、
上記制御対象設備のための予め設定された設備動作スケジュールに基づき設備のオン／オフの制御を行うと共に、上記構内電話回線を使用した居室内の携帯電話との通信結果に従った利用者の居室内の在／不在に基づき、上記設備動作スケジュールにおいて設備オン期間であっても利用者不在時には設備をオフにする設備管理制御手段を含む設備管理制御装置と、
を備えたことを特徴とする携帯電話を利用した建物内設備制御システム。
【請求項２】
上記設備管理制御手段が、上記設備動作スケジュールにおいて設備オン期間でありながら利用者不在のために設備がオフされている期間で、上記構内電話回線を使用した居室内の携帯電話との通信結果により、利用者が居室内にいることが確認された場合に設備をオンにすることを特徴とする請求項１に記載の携帯電話を利用した建物内設備制御システム。
【請求項３】
上記設備管理制御装置が、上記設備動作スケジュールの設備オン期間、オフ期間に係わらず上記構内電話回線を使用して居室内の携帯電話に設備管理制御に関する確認通知を行う確認通知手段をさらに含み、上記設備管理制御手段が、上記確認通知手段により利用者からの確認がとれた時に、上記設備動作スケジュールの設備オン期間、オフ期間に係わらず確認事項に従って設備を管理制御することを特徴とする請求項１又は２に記載の携帯電話を利用した建物内設備制御システム。
【請求項４】
上記設備管理制御手段が、上記設備動作スケジュールの設備オン期間、オフ期間に係わらず、上記構内電話回線を使用した居室内の携帯電話との通信結果に従った利用者の居室内の在／不在に基づき、利用者不在時には設備をオフにすることを特徴とする請求項３に記載の携帯電話を利用した建物内設備制御システム。
【発明の詳細な説明】
【技術分野】
【０００１】
この発明は携帯電話を利用した建物内設備制御システム、特に建物内の居室の利用者の在／不在に従ってその居室の空調あるいは照明設備の制御を行うものに関する。
【背景技術】
【０００２】
従来、携帯電話を利用した設備制御システムとして、携帯電話の位置情報収集手段により電子機器の機器利用者の現在位置情報をＧＰＳ信号より収集し、この収集された機器利用者の位置情報を携帯電話の位置情報送信手段により所定の送信先の家庭内に配置された機器制御手段に送信し、この送信された機器利用者の位置情報を機器制御手段で受信して、この受信された機器利用者の位置情報に基づいて家庭内に配置された電子機器を機器制御手段により制御するものがあった(例えば特許文献１参照)。
【０００３】
【特許文献１】特開２００１−２３１０８３号公報
【発明の開示】
【発明が解決しようとする課題】
【０００４】
従来のこの種の携帯電話を利用した設備制御システムは、ＧＰＳ衛星等により外出中の利用者の位置情報に従って家庭内の機器の制御を行うものであり、基本的に外出中の利用者の家庭内の機器の制御を手助けするものであって。また、例えば制御対象の機器のある居室の使用状況等については考慮されていなかった。
【０００５】
また従来のビル内設備制御システムでは、動作スケジュールによる固定タイミングでのＯＮ／ＯＦＦ(オン／オフ)、又は利用者、設備監視者による個別操作でのＯＮ／ＯＦＦであり、居室等の使用状況にリアルタイムに追従した設備制御を自動的に行うことは困難であった。又、居室等の使用状況を感知する手段として人感センサー等があるが、センサー設置位置によって人の動きを検出しづらい場合や、設置位置が適切でも人の動きが少ない場合は使用中にもかかわらず設備がＯＦＦしてしまう等の問題があった。
【０００６】
この発明は、居室の利用者の携帯電話を利用して利用者の居室内の在／不在に基づき居室の使用状態を正確に検出することで、不必要な設備動作を抑止するようにした携帯電話を利用した建物内設備制御システムを提供することを目的とする。
【課題を解決するための手段】
【０００７】
この発明は、建物内の制御対象設備が設置されている居室内の携帯電話と通信を行う構内電話回線と、上記制御対象設備のための予め設定された設備動作スケジュールに基づき設備のオン／オフの制御を行うと共に、上記構内電話回線を使用した居室内の携帯電話との通信結果に従った利用者の居室内の在／不在に基づき、上記設備動作スケジュールにおいて設備オン期間であっても利用者不在時には設備をオフにする設備管理制御手段を含む設備管理制御装置と、を備えたことを特徴とする携帯電話を利用した建物内設備制御システムにある。
【発明の効果】
【０００８】
この発明では、居室の利用者の携帯電話を利用して利用者の居室内の在／不在に基づき居室の使用状態を検出することで、不必要な設備動作を抑止することができる。
【発明を実施するための最良の形態】
【０００９】
この発明では、各個人が所有している携帯電話の基地局に於ける検出情報(有無、位置)を利用者の居室での在／不在情報として使用し、予め設定されている設備動作スケジュールとの組合せにより、利用者が必要とする時間帯のみ設備を自動的に動作させることを可能にした。又、人感センサーを使用した場合に比較してセンサー設置費用が不要であり、室内に於ける携帯電話の位置が利用者の在／不在の検出に影響を及ぼさないため、固定センサーの場合に発生する問題(利用者の動きが少ないことからの未検出やセンサー設置位置が適切でないことによる未検出での設備の不適切な動作)も解決される。この発明では、携帯電話の検出情報(有無、位置)を基地局経由で設備管理制御装置に送信し、設備管理制御装置に於いて、設備動作スケジュールと携帯電話検出情報(有無、位置)を組み合わせて不必要な設備動作を抑止した設備の制御を行う。各個人が所有している携帯電話を利用者の在／不在センサーとして使用するので、居室等への人感センサー等の設置が不要となる。
【００１０】
実施の形態１．
図１はこの発明の一実施の形態による携帯電話を利用した建物内設備制御システムの構成を示す図である。設備管理制御装置１は設備操作スイッチ５からの操作又は自装置内に設定されている設備動作スケジュールに従って居室１００に設置されている空調設備２や照明設備３等を制御する装置であり、それぞれと設備制御のための伝送線６ａで接続されている。利用者７が所持している携帯電話８との交信により、居室１００内の携帯電話基地局１０はＰＢＸ(構内電話交換システム)９を経由して設備管理制御装置１に居室内での携帯電話８の検出情報を送信する。ＰＢＸ９は設備管理制御装置１及び携帯電話基地局１０と電話回線用の伝送線６ｂで接続され、携帯電話８からの音声データの回線交換と、携帯電話８の検出情報の設備管理制御装置１への送信を行う。携帯電話基地局１０は居室単位に複数台設置され、ＰＢＸ９と伝送線６ｂで接続され、各居室内での携帯電話８の有無検出を行うと共に、ＰＢＸ９と携帯電話８との間で携帯電話８とは無線で、ＰＢＸ９とは有線で、データ送受信を行う。なお、携帯電話基地局１０、ＰＢＸ９および電話回線用の伝送線６ｂにより構内電話回線を構成する。
【００１１】
図２には図１の建物内設備制御システムの設備管理制御装置１の機能ブロック図を示す。空調設備２や照明設備３等の制御対象設備のＯＮ／ＯＦＦ制御等を行う設備管理制御手段１０１、後述するＰＢＸ９に携帯電話８に対して確認のための通信を行わせる確認通知手段１０３及び時間管理のためのタイマ１０５は基本的にプログラムに従って処理を行うコンピュータにより構成され、設備動作スケジュール１０７ａ及び携帯電話番号情報１０７ｂを格納した記憶手段１０７はメモリで構成される。設備動作スケジュール１０７ａには設備動作スケジュールと共に居室１００を利用する利用者の情報が含まれている。携帯電話番号情報１０７ｂは居室を利用する可能性のある利用者の携帯電話番号リストであり、さらに後述する電話優先順位情報１０７ｂａも含む。
【００１２】
次に動作について説明する。まず従来、空調設備２、照明設備３等の制御対象設備は設備管理制御装置１で設定された設備動作スケジュール１０７ａに従って実行されるＯＮ／ＯＦＦ制御、又は設備管理制御装置１、設備操作スイッチ５でのＯＮ／ＯＦＦ操作により運転／停止を行っていた。しかしながら使用時間帯が一定ではない居室(会議室等)１００の設備を制御する場合、設備動作スケジュールだけを使用した場合では、未使用時間に於いても設備が稼動してしまったり、使用時間になっても設備が稼動していないといった状況が発生していた。設備操作スイッチ５を使用して使用時にＯＮ、未使用時にＯＦＦを利用者が操作する場合では、使用／未使用時にその都度、設備操作が必要となり煩わしい。又、ＯＦＦし忘れにより無駄な設備稼働が発生する可能性もある。さらに例えば人感センサー(図示せず)での在室者検出を使用した場合では、人の動きがある場合は問題無いが、人の動きが少ない場合や、人感センサーの設置箇所によっては居室を使用しているにもかかわらず設備がＯＦＦとなってしまうことがある。
【００１３】
そこでこの発明の設備管理制御装置１の設備管理制御手段１０１では、設備動作スケジュール１０７ａに加えて、携帯電話番号情報１０７ｂを使用してＰＢＸ９を介した携帯電話８との通信による携帯電話８が居室内に有るか無いかの確認に従った利用者７の居室内の在／不在に基づき設備管理制御を行う。
【００１４】
図３には設備管理制御装置１での制御動作パターン例を示した。図３の最上段には設備ＯＮ時刻をＴＯＮ、設備ＯＦＦ時刻をＴＯＦＦと設定されているある居室１００の設備動作スケジュールの一例が示されており、その下にこれに対する携帯電話８の有無とこれに基づいて実際に行われる制御対象設備２、３の制御状態からなる４つのパターン例が示されている。
【００１５】
パターン１では、設備動作スケジュールに従って時刻ＴＯＮになった時点で一度、居室１００内の設備をＯＮとするが設備管理制御装置１のタイマ１０５に設定されている時間Ｔ１経過後も携帯電話８が有を検出しない場合は自動的に設備をＯＦＦとする。その後、設備動作スケジュールでＯＮ期間に携帯電話８有を検出した場合、自動的に設備をＯＮとする。但し、設備動作スケジュールでＯＮ期間であっても携帯電話８無を検出した場合は設備管理制御装置１のタイマ１０５に設定されている時間Ｔ２経過後に自動的に設備をＯＦＦとする。
【００１６】
パターン２では、設備動作スケジュールでのＯＮ期間外で携帯電話８有を検出しているが、この場合は携帯電話８有を検出したタイミングＡで当該携帯電話８に設備ＯＮの確認を電話による自動アナウンス、メール送信等により通知する。当該携帯電話８を所持している居室に在室している利用者７は設備をＯＮとする場合は規定の内線番号、メールアドレス等にＯＮ確認を通知することにより、ＯＮ期間外でも設備をＯＮとすることが可能である。又、ＯＮ期間終了時刻ＴＯＦＦの時間Ｔ３前であるタイミングＢで検出している携帯電話８に対して設備ＯＮの延長確認をタイミングＡ同様に電話自動アナウンス、メール送信等により通知し、当該携帯電話８を所持している利用者７が規定の内線番号、メールアドレス等に対し、ＯＮ期間終了時刻ＴＯＦＦを経過する前に延長確認を通知することにより、ＴＯＦＦ以降も連続して設備ＯＮとなる。延長後に携帯電話８無を検出した場合はパターン１同様に時間Ｔ２経過後に自動的に設備をＯＦＦとする。なお上記のような携帯電話８への電話による通知およびそれに対する携帯電話８からの確認通知等の応答受信処理は確認通知手段１０３により行われる(以下同様)。なお図３のパターン２において、図の左側の一点鎖線はタイミングＡ〜ＴＯＮでＯＮ確認無しの場合、図の右側の点線はタイミングＢ〜ＴＯＦＦでＯＮ確認無しの場合をそれぞれ示す。
【００１７】
パターン３では、最初の携帯電話８有の検出がパターン２のタイミングＢ〜時刻ＴＯＦＦ間(タイミングＣ)の場合であるが、この場合はタイミングＣにて設備をＯＮにすると同時に、検出した携帯電話８に対して設備ＯＮの延長確認をタイミングＡ同様に電話自動アナウンス、メール送信等により通知し、当該携帯電話８を所持している居室に在室している利用者７が規定の内線番号、メールアドレス等に対し、ＯＮ期間終了時刻ＴＯＦＦを経過する前に延長確認を通知することにより、時刻ＴＯＦＦ以降も連続して設備ＯＮとなる。延長後の動作はパターン２同様である。なお図３のパターン３において、図の右側の破線はタイミングＣ〜ＴＯＦＦでＯＮ確認無しの場合を示す。
【００１８】
パターン４では、最初の携帯電話８有の検出が時刻ＴＯＦＦ以降(タイミングＤ)の場合であるが、この場合はタイミングＤにて検出した携帯電話８に対して設備ＯＮの確認をタイミングＡ同様に電話自動アナウンス、メール送信等により通知し、当該携帯電話８を所持している居室に在室している利用者７が規定の内線番号、メールアドレス等に対し、ＯＮ確認を通知することにより設備ＯＮとなる。延長後の動作はパターン２同様である。
【００１９】
尚、タイマ１０５で管理される各時間Ｔ１、Ｔ２、Ｔ３の値は設備管理制御装置１に於いて任意に設定が可能である。又、上記パターン２〜４に於いて、携帯電話８有を２台以上検出している場合、確認通知処理対象となる携帯電話８は設備管理制御装置１の記憶手段１０７の携帯電話番号情報１０７ｂの電話優先順位情報１０７ｂａに設定されている優先順位が上位の携帯電話となる。
【００２０】
このように各個人が所有している携帯電話の基地局に於ける検出情報(有無、位置)を利用者の在／不在情報として使用し、予め設定されている動作スケジュールとの組合せにより、利用者が必要とする時間帯でかつ利用者が居室内にいる時のみ設備を自動的に動作させることが可能である。又、人感センサーを使用した場合と比較してセンサー設置費用が不要であり、室内に於ける携帯電話の位置が利用者の在／不在の検出に影響を及ぼさないため、固定センサーの場合に発生する問題(利用者の動きが少ないことからの未検出やセンサー設置位置が適切でないことによる未検出での設備の不適切な動作)も解決される。
【図面の簡単な説明】
【００２１】
【図１】この発明の一実施の形態による携帯電話を利用した建物内設備制御システムの構成を示す図である。
【図２】図１の建物内設備制御システムの設備管理制御装置の機能ブロック図を示す。
【図３】図１の建物内設備制御システムの動作を説明するための設備管理制御装置での制御動作パターン例を示した図である。
【符号の説明】
【００２２】
１  設備管理制御装置、２  空調設備(制御対象設備)、３  照明設備(制御対象設備)、５  設備操作スイッチ、６ａ，６ｂ  伝送線、７  利用者、８  携帯電話、９  ＰＢＸ(構内電話交換システム)、１０  携帯電話基地局、１００  居室、１０１  設備管理制御手段、１０３  確認通知手段、１０５  タイマ、１０７  記憶手段、１０７ａ  設備動作スケジュール、１０７ｂ  携帯電話番号情報、１０７ｂａ  電話優先順位情報。
【図１】
2005354293.tif 000003
【図２】
2005354293.tif 000004
【図３】
2005354293.tif 000005